(57)【要約】【課題】負圧タンクから下水設備に排水をスムーズに排出すること【解決手段】  ここで提案される負圧吸引式トイレ１０は、底部に排水口１１ａを有する便器１１と、吸引口１２ａを有するタンク１２と、排水口から吸引口に至る流路を形成する排水管路１３と、タンクに接続された真空ポンプ１４とを備えている。排水管路は、吸引口から管軸に沿って３ｍまでの範囲内に、それぞれ管路が曲った折曲区間１３ｄを備えている。【選択図】図２
2018003336.tif 000002
【特許請求の範囲】
【請求項１】
底部に排水口を有する便器と、
吸引口を有するタンクと、
前記排水口から前記吸引口に至る排水管路と、
前記タンクに接続された真空ポンプと
を備え、
前記排水管路は、
前記吸引口から管軸に沿って３ｍまでの範囲内に、それぞれ管路が曲った折曲区間を備えている、
負圧吸引式トイレ。
【請求項２】
前記折曲区間には、前記管路が曲がった折曲部が２箇所以上設けられている、請求項１に記載された負圧吸引式トイレ。
【請求項３】
前記折曲区間のうち前記管軸に沿った５０ｃｍの範囲に前記折曲部が複数配置された集中折曲区間を備えている、請求項２に記載された負圧吸引式トイレ。
【請求項４】
前記折曲部では、
管軸の曲率半径が管路の内径の２／３以下であり、かつ、
前記排水口から前記吸引口に向けた流れ方向において４０度以上１１０度以下の角度で、前記排水管路がそれぞれ曲がっている、
請求項２または３に記載された負圧吸引式トイレ。
【請求項５】
前記排水管路は、前記折曲区間よりも便器側の直前に、少なくとも５０ｃｍ以上の直線に沿った管路を有する直線区間を備えている、請求項１から４までの何れか一項に記載された負圧吸引式トイレ。
【請求項６】
前記排水管路は、前記吸引口に向けて上方に延びた上り管部と、前記上り管部のすぐ上流側に設けられ、前記上り管部よりも大きい容積を有した受け部とを、前記吸引口から管軸に沿って３ｍまでの範囲内に備え、
前記上り管部と前記受け部との少なくとも一方に前記折曲区間が設けられている、請求項１から５までの何れか一項に記載された負圧吸引式トイレ。
【発明の詳細な説明】
【技術分野】
【０００１】
本発明は、負圧吸引式トイレに関する。
【背景技術】
【０００２】
例えば、特開２０１４−１２５７１９号公報には、負圧吸引式トイレが提案されている。同公報で提案される負圧吸引式トイレは、底部に排水口を有する有底の容器を便器本体とし、当該便器本体に排水管路が設けられている。負圧タンクは、所要の耐圧性を有する容器であり、真空ポンプが取り付けられている。ここで提案された負圧吸引式トイレでは、負圧タンクを所定の真空を形成した状態で、負圧タンクと排水管路とを開通させることによって、排水管路を通じて、便器に溜まった排水を負圧タンクに引き込むことができる。負圧タンクは、汚水配管あるいは汚水タンクのような下水設備の上に配置されており、負圧タンクに引き込まれた排水が下水設備に排出される構造が取られている。
【先行技術文献】
【特許文献】
【０００３】
【特許文献１】特開２０１４−１２５７１９号公報
【発明の概要】
【発明が解決しようとする課題】
【０００４】
ところで、このような負圧吸引式トイレにおいて、負圧タンクに吸引された排水は、自然流下により下水設備に排出される。負圧タンクから下水設備に排水が排出される際に、排水が詰まる事象が生じる場合があった。
【課題を解決するための手段】
【０００５】
ここで提案される負圧吸引式トイレは、底部に排水口を有する便器と、吸引口を有するタンクと、排水口から吸引口に至る排水管路と、タンクに接続された真空ポンプとを備えている。排水管路は、吸引口から管軸に沿って３ｍまでの範囲内に、それぞれ管路が曲った折曲区間を備えている。かかる負圧吸引式トイレによれば、折曲区間によって、負圧タンクに入る排水に含まれる固形分が小さくなる。このため、負圧タンクから下水設備への排水がスムーズに流れ出やすくなる。
【０００６】
折曲区間には、管路が曲がった折曲部が２箇所以上設けられていてもよい。この場合、折曲区間のうち管軸に沿った５０ｃｍの範囲に複数の折曲部が配置された集中折曲区間を備えていてもよい。折曲部では、管軸の曲率半径が管路の内径の２／３以下で、かつ、排水口から吸引口に向けた流れ方向において４０度以上１１０度以下の角度で、排水管路がそれぞれ曲がっていてもよい。排水管路は、折曲区間よりも便器側の直前に、少なくとも５０ｃｍ以上の直線に沿った管路を有する直線区間を備えていてもよい。このような構成によって、折曲区間に設けられた折曲部において、排水中の固形分がより細かく破砕されうる。
【０００７】
排水管路は、吸引口に向けて上方に延びた上り管部と、上り管部のすぐ上流側に設けられ、かつ、上り管部よりも大きい容積を有した受け部とを、吸引口から管軸に沿って３ｍまでの範囲内に備えていてもよい。この場合、上り管部と受け部との少なくとも一方に折曲区間が設けられているとよい。これにより、上り管部に排水が残留した場合に、残留している排水が受け部に流れ込んでも、受け部は排水によって満たされない。そして、受け部の上部に空隙が生じ、負圧タンクからの負圧は、受け部に生じた空隙を抜けうる。このため、便器の排水がよりスムーズに吸引される。
【図面の簡単な説明】
【０００８】
【図１】図１は、２階建ての住宅の２階の室内に負圧吸引式トイレの便器が配置された状態を模式的に示す斜視図である。
【図２】図２は、負圧吸引式トイレの排水管路の流路を模式的に示す側面図である。
【図３】図３は、カバー内の負圧タンクおよび真空ポンプの配置例を示す側面図である。
【図４】図４は、折曲部を構成するのに適した管路部材の断面図である。
【図５】図５は、折曲部を構成するのに適した管路部材の断面図である。
【図６】図６は、折曲部を構成するのに適した管路部材の断面図である。
【図７】図７は、カバー内の負圧タンクおよび真空ポンプの他の配置例を示す側面図である。
【図８】図８は、折曲区間の構成例を概略的に示す斜視図である。
【図９】図９は、折曲区間の構成例を概略的に示す斜視図である。
【図１０】図１０は、折曲区間の構成例を概略的に示す斜視図である。
【図１１】図１１は、折曲区間の構成例を概略的に示す斜視図である。
【図１２】図１２は、バイパス管路を備えた受け部を模式的に示す平面図である。
【図１３】図１３は、中間タンクを備えた受け部を模式的に示す平面図である。
【発明を実施するための形態】
【０００９】
以下、本発明の一実施形態に係る負圧吸引式トイレを図面に基づいて説明する。なお、ここで説明する実施形態および実施例は、本願発明の好適な一形態を例示するものであるが、特段の言及がない限りにおいて、本願発明を限定しない。なお、同じ作用を奏する部材や部位には、適宜に同じ符号を付している。
【００１０】
図１は、２階建ての住宅の２階の室内に負圧吸引式トイレの便器が配置された状態を模式的に示す斜視図である。図２は、負圧吸引式トイレの排水管路の流路を模式的に示す側面図である。
【００１１】
負圧吸引式トイレの基本的な構成は、特許文献１にも説明されているので、ここでは重複する説明を省略する。図１および図２に示すように、負圧吸引式トイレ１０は、便器１１と、負圧タンク１２と、排水管路１３と、真空ポンプ１４とを備えている。
【００１２】
便器１１は、例えば、図１に示すように、屋内においてベッド２０のそばに置かれる。便器１１は、図２に示すように、底部に排水口１１ａを有している。この実施形態では、便器１１は、有底の容器からなる便器本体１１ｂを備えており、排水口１１ａは、便器本体１１ｂの底部に設けられている。便器本体１１ｂは、例えば、足や肘掛けや背もたれを備えた外枠１１ｃに収められているとよい。また、負圧吸引式トイレ１０は、便器本体１１ｂへ給水を行なうための給水タンク２１や給水ポンプ２２を備えているとよい。
【００１３】
負圧タンク１２は、吸引口１２ａを有する容器であり、所要の負圧に耐えうる耐圧性と排水を収容するため所要の耐食性を有しているとよい。ここで「吸引口」は、タンクとしての負圧タンク１２に開口した部位である。この実施形態では、吸引口１２ａは、負圧タンク１２に排水が入る入口である。負圧タンク１２は、真空ポンプ１４に接続されている。この実施形態では、負圧タンク１２と真空ポンプ１４は、屋外に置かれており、カバー１６（図１参照）内に設置されている。
【００１４】
図２に示すように、便器１１の底部に設けられた排水口１１ａと、負圧タンク１２の吸引口１２ａとは、排水管路１３によって繋がっている。この実施形態では、負圧タンク１２の吸引口１２ａに弁１２ｂが設けられている。また、負圧タンク１２には、負圧タンク１２を大気に開放するための大気開放弁１２ｃが設けられている。さらに、負圧タンク１２の底部には、排水口１２ｄと、弁１２ｅが設けられている。負圧タンク１２は、地下に埋設された下水設備４０（例えば、汚水枡や汚水管など）の上に据え置かれている。弁１２ｅが開かれると負圧タンク１２の排水口１２ｄと下水設備４０とが繋がり、負圧タンク１２内の排水が、排水口１２ｄを通じて下水設備４０へ自然流下する。図２中の２点鎖線ＧＬは、地面を示している。２点鎖線ＷＬは建物の壁面を示している。２点鎖線ＦＬは、便器１１が置かれる床面を示している。真空ポンプ１４と負圧タンク１２の間にも弁１４ａが設けられている。また、図示は省略するが、真空ポンプ１４は、例えば、圧力計を備え、当該圧力計の計測値に基づいて予め定められた負圧を負圧タンク１２に形成するものであるとよい。
【００１５】
排水管路１３は、排水口１１ａから吸引口１２ａに至る配管である。排水管路１３は、排水口１１ａに接続された排水管路１３の一方の端部に設けられ、かつ、排水口１１ａから便器１１の予め定められた高さまで上方に延びた立ち上がり部１３ａを有している。負圧吸引式トイレ１０は、排水時に便器本体１１ｂに水が注ぎ込まれる。この実施形態では、給水ポンプ２２を作動させることによって、給水タンク２１から便器本体１１ｂに水が注がれる。この際、当該立ち上がり部１３ａによって規定される所定の高さまで、便器本体１１ｂに排水が溜められる。この状態で、真空ポンプ１４が作動する。
【００１６】
真空ポンプ１４が作動する際、負圧タンク１２の吸引口１２ａに設けられた弁１２ｂ、大気開放弁１２ｃおよび底部に設けられた弁１２ｅは、それぞれ閉じられている。真空ポンプ１４に設けられた弁１４ａは、真空ポンプ１４が負圧タンク１２内の空気を吸い、負圧を形成する際には開放されている。この状態で、負圧タンク１２は、真空ポンプ１４によって空気が吸い出されて予め定められた圧力（例えば、絶対圧で大凡０．０８ＭＰａ以下）まで減圧される。弁１４ａは、真空ポンプ１４が負圧タンク１２内の空気を吸い、負圧を形成する際には開放されている。弁１４ａは、負圧タンク１２が予め定められた圧力まで減圧され、かつ、負圧タンク１２が排水を引き込む時には閉じられる。
【００１７】
予め定められた圧力まで減圧された負圧タンク１２の吸引口１２ａに設けられた弁１２ｂが開かれると、便器本体１１ｂに溜まった排水が排水管路１３を通じて負圧タンク１２に引き込まれる。この際、立ち上がり部１３ａを形成する屈曲した管路を通過する際に、排水中に含まれる便やトイレットペーパーなどの固形分が粉砕される。また、負圧タンク１２に排水が引き込まれる際には、真空ポンプ１４に設けられた弁１４ａが閉じられており、排水が跳ね返って真空ポンプ１４に入るのが防止される。負圧吸引式トイレ１０は、負圧タンク１２の底部の弁１２ｅが開らかれると、負圧タンク１２に溜まった排水が下水設備４０に流れ出る。また、負圧タンク１２の底部の弁１２ｅを開く際には、負圧タンク１２の大気開放弁１２ｃが開かれる。これによって、負圧タンク１２に溜まった排水が下水設備４０に流れ出る。
【００１８】
負圧吸引式トイレ１０は、便器１１への給水ポンプ２２や負圧タンク１２の各弁１２ｂ、１２ｃ、１２ｅや真空ポンプ１４などの作動を、予め定められたプログラムに沿って制御する制御装置３０を備えているとよい。この場合、便器１１への給水ポンプ２２や負圧タンク１２の各弁１２ｂ、１２ｃ、１２ｅや真空ポンプ１４の作動を操作するための操作信号を制御装置３０に送る操作部３１が、便器１１に設けられているとよい。
【００１９】
ところで、本発明者は、負圧タンク１２に溜まった排水が下水設備４０にスムーズに流れ出ない事象が生じうることを見出した。かかる事象について、調べたところ、負圧タンク１２内に流入した排水が負圧タンク１２から下水設備４０へ流れ出る際は、重力による自然落下である。負圧タンク１２に流入した排水中に複数の大きな固形分が含まれていると、大きな固形分が折り重なって負圧タンク１２の排水口１２ｄや排水弁１２ｅに引っ掛かる場合がある。このため、負圧タンク１２から下水設備４０へ排水がスムーズに流れ出ない原因になっていた。
【００２０】
ここで提案される負圧吸引式トイレ１０では、排水管路１３は、吸引口１２ａから管軸に沿って３ｍまでの範囲内に、それぞれ管路が曲った折曲区間１３ｄを備えている。ここで「管軸」は、流れ方向に直交する管路の断面における管路の内面の中心を流れ方向に繋いだ線である。例えば、管路の流れ方向に直交する断面が円形である円形管では、管軸は、管路断面の中心を繋いだ線になる。異形断面の管路においても、管路の流れ方向に直交する断面における管路の内面の中心を流れ方向に繋いだ線を「管軸」とする。
【００２１】
この負圧吸引式トイレ１０は、負圧タンク１２の吸引口１２ａの直前に、排水管路１３が折れ曲った折曲区間１３ｄを備えている。排水は、排水管路１３を通じて勢いよく負圧タンク１２に吸引される。この際、折曲区間１３ｄにおいて、排水に乱流が生じ、また、排水中の固形分が、排水管路１３の壁面に衝突するなどして、排水中に含まれる固形分が破砕される。このため、負圧タンク１２に入る排水に含まれる固形分が負圧タンク１２に入る直前においてさらに小さくなる。そして、負圧タンク１２に入る排水に含まれる固形分が小さいので、排水が負圧タンク１２から下水設備４０へ流れ出る際に、負圧タンク１２の排水口１２ｄや排水弁１２ｅに固形分が引っ掛かりにくい。このため、負圧タンク１２から下水設備４０へ排水がスムーズに流れ出やすくなる。
【００２２】
この実施形態では、上述のように負圧タンク１２は、屋外に置かれており、カバー１６（図１参照）内に設置されている。上述した折曲区間１３ｄは、便器１１の底部に設けられた排水口１１ａから負圧タンク１２の吸引口１２ａに至る排水管路１３のうち、カバー１６内に設けられた部分に設けられている。
【００２３】
図３は、カバー１６内の負圧タンク１２および真空ポンプ１４の配置例を示す側面図である。図３に示す形態では、カバー１６内には、矩形の枠組み１６ａが構築されている。矩形の枠組み１６ａの上下方向の中間には、台座１６ｂが設けられている。負圧タンク１２は、枠組み１６ａのうち台座１６ｂよりも上の上部空間に配置され、枠組み１６ａの上部構造材１６ａ１と台座１６ｂとによって支持されている。真空ポンプ１４は、枠組み１６ａの下部空間に管路に干渉しないように配置されている。真空ポンプ１４と、負圧タンク１２とは、空気を吸引するための管路１４ｂによって接続されている。
【００２４】
図３に示す形態では、負圧タンク１２のタンク本体１２０は、円筒部１２１と、円筒部１２１の下部から下方に向けて内径が徐々に小さくなった円錐部１２２と、円筒部１２１の上部に取り付けられた蓋１２３とを備えている。ここで、負圧タンク１２の吸引口１２ａは、円筒部１２１の内周面に開口した部位である。この実施形態では、吸引口１２ａは、円筒部１２１の接線方向に沿って外方に延びた管路１２ａ１を備えている。この実施形態では、かかる吸引口１２ａからタンク本体１２０の外部に延びた管路１２ａ１の先端部に弁１２ｂが設けられている。かかる吸引口１２ａから延びた管路１２ａ１を含む負圧タンク１２は、排水を吸引するための所要の負圧（例えば、絶対圧で０．００８ＭＰａ以上０．０８ＭＰａ以下）に耐えうる耐圧容器で構成されている。ここで、所要の負圧は、便器１１から負圧タンク１２に排水を吸引するのに十分な吸引力を発揮しうる真空度を意味する。かかる観点において、負圧タンク１２は、例えば、絶対圧で０．０８ＭＰａ以下、好ましくは０．０６ＭＰａ以下の真空度にするとよい。また、負圧タンク１２の真空度を高くすればするほど吸引力が高くなる。他方で、負圧タンク１２の真空度を高くするには、真空ポンプの性能を上げたり、容器の耐圧性能を上げたりする必要があり、コストが高くなる。このため、かかる観点において、負圧タンク１２の真空度は、絶対圧で０．００８ＭＰａ程度までとするのが適当である。また、吸引の際の真空タンク内の真空度をできるだけ維持するためには真空タンクの容積は大きい方が好ましい。他方で大きなタンクは場所をとる。このため、真空タンクの内容積は、例えば、１Ｌ以上、好ましくは５Ｌ以上、また１００Ｌ以下、好ましくは２０Ｌ以下であるとよい。なお、ここでは、負圧タンク１２の真空度を絶対圧で例示しているが、実際上は、ゲージ圧で管理されうる。
【００２５】
この実施形態では、吸引口１２ａからタンク本体１２０の外部に延びた管路１２ａ１は、排水管路１３の一部として扱われうる。例えば、吸引口１２ａからタンク本体１２０の外部に延びた管路１２ａ１を含めてタンク本体１２０は、一体的な樹脂成形品として作製されうる。このような場合、当該管路１２ａ１は、排水管路１３の一部として扱うとよい。また、吸引口１２ａは、排水管路１３の一部として扱われる当該管路１２ａ１と、タンク本体１２０との境界となる。当該管路１２ａ１とタンク本体１２０との境界が曖昧な場合、当該境界部分は、当該曖昧な部分を含めて吸引口１２ａとして扱うとよい。例えば、吸引口１２ａがタンク本体１２０の内周面に向けて徐々に拡がっている場合には、タンク本体１２０の内周面に向けて徐々に拡がった部分も含めて吸引口１２ａとするとよい。このように、当該管路１２ａ１とタンク本体１２０との境界が曖昧な場合、タンク本体１２０の内部からみて吸引口１２ａの外延から排水管路１３の管軸に沿った所定の距離の範囲内に折曲区間１３ｄを備えているとよい。
【００２６】
この実施形態では、負圧タンク１２の吸引口１２ａには、円筒部１２１の内周面から接線方向に沿って外方に延びた管路１２ａ１が設けられている。排水は、かかる管路１２ａ１を通じて吸引口１２ａから円筒部１２１の内周面に沿ってタンク本体１２０内に入っていく。そして、タンク本体１２０の円筒部１２１の内周面に沿って旋回しつつタンク本体１２０内に収容されるため、タンク本体１２０内で排水が飛び散りにくい。かかる形態においては、図示は省略するが、タンク本体１２０内には、吸引口１２ａが設けられた位置の上部に、タンク本体１２０の内径側に突出した庇が設けられているとよい。このような庇が設けられていることによって、吸引口１２ａから入った排水がタンク本体１２０内で、特に、上方に飛び散るのを防止できる。これにより、タンク本体１２０の上部（例えば、蓋１２３）に付着する排水の飛沫を少なくできる。
【００２７】
排水管路１３は、かかる吸引口１２ａに繋がっている。ここで、排水管路１３は、カバー１６内に、枠組み１６ａの下部空間に入り、枠組み１６ａの下部空間で上方へ向けて折れ曲り、上方に延びている。そして、台座１６ｂに到達した部位に、折曲区間１３ｄが設けられている。折曲区間１３ｄは、図３では、明示的に図示されていないが、図２に示すように、管路が折れ曲った折曲部１３ｄ１〜１３ｄ３（図２参照）を複数備えているとよい。なお、図２に示す形態では、折曲区間１３ｄには、折曲部１３ｄ１〜１３ｄ３が３箇所設けられているが、折曲区間１３ｄに設けられる折曲部は、３箇所に限定されない。例えば、折曲区間１３ｄには、例えば、３箇所や４箇所や５箇所など、２箇所以上の折曲部が設けられているとよい。
【００２８】
ここで、折曲部１３ｄ１〜１３ｄ３では、管軸の曲率半径が、例えば、管路の内径の２／３以下で、かつ、排水口から吸引口に向けた流れ方向において４０度以上１１０度以下の角度（例えば、４５度や９０度）で、排水管路１３がそれぞれ曲がっているとよい。ここで、管路の内径は、細すぎると詰まりやすい。このため、例えば、１５ｍｍ以上であるとよく、好ましくは２０ｍｍ以上であるとよい。また、管路の内径は、太すぎると、所要の吸引力が得られない。このため、例えば、５０ｍｍ以下であるとよく、好ましくは３０ｍｍ以下であるとよい。また、折曲部における管軸の曲率半径は、管路の内径の半分程度であるとよく、好ましくは管路の内径の１／２以上であるとよい。
【００２９】
図４〜図６は、折曲部１３ｄ１〜１３ｄ３を構成するのに適した管路部材の断面図である。折曲部１３ｄ１〜１３ｄ３は、例えば、図４に示すように、排水口から吸引口に向けた流れ方向において、管の内径の大凡半分の曲率半径で管軸が９０度に曲がった９０度エルボ管１３１や、図５に示すように、管軸が４５度に曲がった４５度エルボ管１３２を組み合わせてもよい。また、図６に示すように、一方の端部が受け口で、他方の端部が、他の管に差し込まれる、いわゆる受け差しエルボ管１３３を組み合わせてもよい。かかるエルボ管を組み合わせることで、短い距離で複数の折曲部を設けることができる。特に、受け差しエルボ管１３３は、直線の管を間に介在させないので、より短い距離で複数の折曲部を設けることができる。このようなエルボ管を組み合わせることによって、排水管路１３のうち、吸引口１２ａから管軸に沿って、より短い範囲に、複数の折曲部を備えた折曲区間１３ｄを構築しうる。
【００３０】
また、折曲区間１３ｄが負圧タンク１２の吸引口１２ａから離れた位置にあると、折曲区間１３ｄでは、排水が流れるのに対して抵抗が高くなるため、排水の速度が落ちる場合がある。排水の速度が落ちると、折曲区間１３ｄおよび折曲区間１３ｄを過ぎた部分に排水が残留しやすくなる。折曲区間１３ｄが負圧タンク１２の吸引口１２ａから近いと、排水が残留しにくい。かかる観点において、折曲区間１３ｄは、例えば、負圧タンク１２の吸引口１２ａから３ｍ程度の近い範囲に設けられているとよい。また、好ましくは１.５ｍ、さらには１ｍ、さらには８０ｃｍ、さらには６０ｃｍというように、より短い範囲に、複数の折曲部を備えた折曲区間１３ｄが構築されているとよい。つまり、折曲区間１３ｄは、負圧タンク１２の吸引口１２ａの近くにあるとよい。
【００３１】
なお、上述のように、負圧タンク１２に入る直前において排水に含まれる固形分をさらに小さくするとの観点において、吸引口１２ａから管軸に沿って３ｍまでの範囲内に、排水管路１３に折曲区間１３ｄが設けられているとよい。また、この場合、排水管路１３には、負圧タンク１２の吸引口１２ａから３ｍより離れた位置に、折れ曲った部位（折曲部）がさらに設けられていてもよい。
【００３２】
また、排水管路１３は、折曲区間１３ｄよりも便器側で折曲区間１３ｄの直前に、少なくとも５０ｃｍ以上の直線に沿った管路を有する直線区間１３ｅを備えていてもよい。つまり、折曲区間１３ｄの直前で、排水管路１３は管軸が直線に沿った区間を有しているとよい。このような直線区間１３ｅでは、排水の抵抗が小さくなる。このため、直線区間１３ｅが吹き矢の筒のように作用して、直線区間１３ｅにおいて負圧により吸引される排水が加速される。そして、直線区間１３ｅにおいて加速された排水が、折曲区間１３ｄに入り、折曲部１３ｄ１〜１３ｄ３によって形成された複雑な管路を通る。この際、直線区間１３ｅにおいて排水が加速されるために、折曲区間１３ｄにおいて排水中の固形分がより小さく破砕されうる。かかる直線区間１３ｅは、長い方がよく、例えば、８０ｃｍ以上、さらには１ｍ以上の長さがあるとよい。
【００３３】
図７は、カバー１６内の負圧タンク１２および真空ポンプ１４の他の配置例を示す側面図である。図７に示すように、吸引口１２ａから管軸に沿って３ｍまでの範囲内に設けられる折曲区間１３ｄには、さらに、管軸に沿った５０ｃｍの範囲に複数の折曲部１３ｄ１〜１３ｄ３が配置された集中折曲区間１３ｄｓを備えていてもよい。この場合、図７に示すように、集中折曲区間１３ｄｓは、カバー１６内で台座１６ｂより下方の下部空間に設けられていてもよい。このような集中折曲区間１３ｄｓでは、排水が通過する際に大きい固形分が内壁に当たり破砕されるので、排水に含まれる固形分が、より小さくなりやすい。集中折曲区間１３ｄｓは、ここでは、管軸に沿った５０ｃｍの範囲に複数の折曲部１３ｄ１〜１３ｄ３が配置されものを例示しているが、管軸に沿ったより短い範囲（例えば、２０ｃｍ〜５０ｃｍの範囲、例えば、３０ｃｍ程度の範囲）に複数の折曲部が集中していてもよい。かかる集中折曲区間１３ｄｓには、例えば、３箇所以上、例えば、４箇所、５箇所あるいは６箇所程度の折曲部が含まれているとよい。なお、ここでは、負圧タンク１２および真空ポンプ１４は、屋外に配置されカバー１６内に配置されているが、特段言及されない限りにおいて、負圧タンク１２および真空ポンプ１４や排水管路１３および折曲区間１３ｄの配置には限定されない。
【００３４】
図８から図１１は、排水管路１３（特に、折曲区間１３ｄ）の構成例を概略的に示す斜視図である。ここでは、排水管路１３は、それぞれカバー１６の枠組み１６ａ内に配置された負圧タンク１２に繋がっている。
【００３５】
図８に示された形態では、便器１１側から延びた排水管路１３は、カバー１６内で、枠組み１６ａの台座１６ｂよりも下方の下部空間に挿入されている。そして、カバー１６内において、排水管路１３には、弁１２ｂと、折曲区間１３ｄとが設けられている。弁１２ｂは、吸引口１２ａの開閉を操作する弁である。具体的には、折曲区間１３ｄには、矩形の枠組み１６ａの下部空間において、弁１２ｂよりも前（排水の流れ方向の上流側）に、３つの折曲部１３ｄ１〜１３ｄ３が設けられている。さらに、折曲区間１３ｄには、台座１６ｂよりも上方の上部空間において、弁１２ｂよりも後（弁１２ｂと吸引口１２ａとの間）に１つの折曲部１３ｄ１が設けられている。
【００３６】
詳しくは、折曲部１３ｄ１では、カバー１６内に水平に入ってきた排水管路１３が上方に向けて直角に曲がっている。折曲部１３ｄ２では、折曲部１３ｄ１において上方に向けて曲がった排水管路１３が、水平に向けて直角に曲がっている。折曲部１３ｄ３では、折曲部１３ｄ２において上方に向けて曲がった排水管路１３が、上方に向けて直角に曲がっている。排水管路１３には、折曲部１３ｄ３から上方に向かう管路の途中に弁１２ｂが設けられている。排水管路１３は、弁１２ｂを過ぎて上方に延び、台座１６ｂよりも上側において折曲部１３ｄ４が設けられている。折曲部１３ｄ４では、排水管路１３が負圧タンク１２の内周面の接線方向に向けて曲がっている。そして、かかる折曲部１３ｄ４によって折れ曲った排水管路１３は、負圧タンク１２の内周面の接線方向に沿って延びて吸引口１２ａに繋げられている。この場合、吸引後に折曲部１３ｄ１〜１３ｄ３に残留した排水は、排水管路１３のうちカバー１６に水平に入ってきた部位に流下する。また、このように折曲区間１３ｄの途中に弁１２ｂが設けられていてもよい。また、このうち、折曲部１３ｄ１〜１３ｄ３は、管軸に沿って５０ｃｍ以内の短い距離に集中しており、上述した集中折曲区間１３ｄｓとして機能している。排水中に含まれる大きな固形分は、かかる集中折曲区間１３ｄｓにおいて、細かく破砕される。
【００３７】
図８に示された形態と相違する点として、図９に示された形態では、弁１２ｂよりも前に順に設けられた３つの折曲部１３ｄ１〜１３ｄ３のうち、折曲部１３ｄ１，１３ｄ２では、排水管路１３は、それぞれ水平な面に沿って直角に曲がっている。折曲部１３ｄ３では、排水管路１３は、上方に向けて曲がっている。排水管路１３は、折曲部１３ｄ３の後で、弁１２ｂが設けられている。弁１２ｂから吸引口１２ａまでは、図８に示された形態と同じである。図９に示された形態では、カバー１６内で弁１２ｂの直下に設けられた折曲部１３ｄ３に至るまでの排水管路１３が水平に設けられており、その容積が大きい。このため、カバー１６内で排水管路１３に残留した排水は、流下してカバー１６内で水平に設けられた部位に流下するが、この部位が排水で満たされにくい。また、カバー１６内で排水管路１３の垂直高さを小さくして、真空ユニット全体をコンパクト化できる。また、このうち、折曲部１３ｄ１〜１３ｄ３は、管軸に沿って５０ｃｍ以内の短い距離に集中しており、上述した集中折曲区間１３ｄｓとして機能している。排水中に含まれる大きな固形分は、かかる集中折曲区間１３ｄｓにおいて、細かく破砕される。
【００３８】
図８に示された形態と相違する点として、図１０に示された形態では、カバー１６内に水平に入ってきた排水管路１３が折曲部１３ｄ１において上方に曲がっている。そして、折曲部１３ｄ１で上方に曲げられた部位に弁１２ｂが設けられている。さらに弁１２ｂから吸引口１２ａまでの間に３つの折曲部１３ｄ２〜１３ｄ４が順に設けられている。また、図１１に示された形態では、図１０に示された形態と相違する点として、弁１２ｂから吸引口１２ａまでの間に４つの折曲部１３ｄ２〜１３ｄ５が順に設けられている。このように、排水管路１３には、弁１２ｂから吸引口１２ａまでの間に複数の折曲部が設けられていてもよい。また、折曲区間１３ｄの途中に弁１２ｂのような要素が含まれていてもよい。
【００３９】
また、図１０では、折曲部１３ｄ２〜１３ｄ４が、管軸に沿って５０ｃｍ以内の短い距離に集中しており、上述した集中折曲区間１３ｄｓとして機能している。図１１では、折曲部１３ｄ２〜１３ｄ５が、管軸に沿って５０ｃｍ以内の短い距離に集中しており、上述した集中折曲区間１３ｄｓとして機能している。排水中に含まれる大きな固形分は、かかる集中折曲区間１３ｄｓにおいて細かく破砕される。なお、図１０および図１１に示すように、カバー１６内の上部に集中折曲区間１３ｄｓを設けることによって、全体としてコンパクト化を図ることができる場合がある。
【００４０】
また、吸引口１２ａに設けられる弁１２ｂは、上述した実施の形態では、具体的には、排水管路１３の折曲区間１３ｄ内に設けられている。このように、吸引口１２ａの開閉を行なう弁１２ｂは、排水管路１３に設けられていてもよい。さらに、吸引口１２ａの開閉を行なう弁１２ｂは、例えば、折曲区間１３ｄの外側、排水管路１３において吸引口１２ａから管軸に沿って３ｍよりも便器１１側に設けられていてもよい。
【００４１】
以上、ここでは、負圧タンク１２の吸引口１２ａの直前に設けられた、排水管路１３の折曲区間１３ｄについて説明した。かかる折曲区間１３ｄが設けられることによって、負圧タンク１２に吸引される直前において、排水中の固形分が細分化される。このため、負圧タンク１２から下水設備４０へ排水を排出する際に詰まり難い。
【００４２】
また、本発明者は、負圧吸引式トイレ１０を住宅に仮設する場合において、便器本体１１ｂを屋内に配置し、負圧タンク１２や真空ポンプ１４を屋外に配置することを検討している。この場合、図２に示すように、排水管路１３は、屋内から壁面ＷＬを貫通させて屋外の負圧タンク１２まで敷設される。この際、壁面ＷＬの構造上の制約で、床面ＦＬよりも高い位置に排水管路１３を通すための貫通孔６０が設けられる場合がある。また、壁面ＷＬには、例えば、エアコンのような空調設備の配管を通すために貫通孔が設けられている場合がある。貫通孔６０には、このような既設の貫通孔を利用することも検討されている。空調設備の配管用の穴は、室内で床面ＦＬから２．５ｍ程度の高い位置に設けられていることがある。
【００４３】
負圧吸引式トイレ１０の排水管路１３には、便器本体１１ｂの排水口１１ａから連続して立ち上がり部１３ａが設けられている。排水管路１３は、立ち上がり部１３ａから降下させて床面ＦＬに沿って壁面ＷＬの壁際まで敷設される。室内で床面ＦＬから２．５ｍ程度の高い位置に設けられた貫通孔６０を通す場合には、排水管路１３は、室内で壁面ＷＬ（内壁）に沿って排水管路１３を立ち上げられて貫通孔６０に通される。排水管路１３は、室外で壁面ＷＬ（外壁）に沿って地面ＧＬの高さまで下ろされる。排水管路１３は、地面ＧＬに沿って敷設され、下水設備４０の上に配置された負圧タンク１２の吸引口１２ａに繋がっている。排水管路１３は、負圧タンク１２に繋げられる際にも、地面ＧＬから立ち上げられる場合がある。
【００４４】
このように、排水管路１３の流れ方向において、立ち上がり部１３ａよりも下流側において、１または複数（図２に示された形態では２つ）の上り管部１３ｂ，１３ｃが設けられる場合がある。つまり、図２に示す形態では、室内で壁面ＷＬに沿って立ち上げられた部分に上り管部１３ｂが設けられている。また、地面ＧＬに沿って排水管路１３が敷設されたところから立ち上げられて負圧タンク１２に接続される部分に上り管部１３ｃが設けられている。なお、負圧タンク１２に接続される部分の上り管部１３ｃは、図１においては、カバー１６に隠れており、全体が図示されていないが、かかる上り管部１３ｃは、図２に示すように、０．５ｍから２ｍ程度立ち上がっていることもありうる。また、かかる上り管部１３ｃには、さらに上述のような折曲区間１３ｄが設けられうる。
【００４５】
負圧吸引式トイレ１０では、負圧タンク１２の負圧が排水管路１３に作用することによって、便器１１に溜まった排水が負圧タンク１２に吸引される。便器１１に溜まった排水が吸引される際、上り管部１３ｂ，１３ｃでは、排水を引き上げるのにエネルギが消費される。負圧タンク１２による吸引は、徐々に弱くなり、負圧タンク１２が大気圧に戻る過程で終了する。このため、吸引が終了したときに上り管部１３ｂ，１３ｃでは排水の一部が残留している場合がある。
【００４６】
吸引が終了した後で排水管路１３は大気圧になるため、上り管部１３ｂ，１３ｃに残留している排水は、自然に流下して上り管部１３ｂ，１３ｃの上流側の排水管路１３に流れ込む。この際、上り管部１３ｂ，１３ｃの上流側に流れ込んだ排水によって、排水管路１３の一部が満たされることが生じうる。特に、図２に示すように、屋内の壁面ＷＬに沿った上り管部１３ｂのように２ｍ程度も高い位置まで立ち上がっているような場合には、吸引が終了した時に、上り管部１３ｂに多量の排水が残留することがある。また、負圧タンク１２に接続される部分の上り管部１３ｃは、便器１１から遠く、負圧タンク１２に吸引される排水が最後に通る部分である。負圧タンク１２の吸引力は、吸引が開始されてから徐々に弱まる。その上、上り管部１３ｃでは、排水を引き上げるのにエネルギが必要になるために、負圧タンク１２に吸引される排水が残留することがある。
【００４７】
上り管部１３ｂ，１３ｃに多量の排水が残留した場合には、上り管部１３ｂ，１３ｃの上流側の管路に多量の排水が流れ込むことがある。この場合、上り管部１３ｂ，１３ｃの上流側の管路構成によっては、上り管部１３ｂ，１３ｃの上流側の管路の一部が上り管部１３ｂ，１３ｃから流れ込んだ排水によって満たされてしまう。つまり、立ち上がり部１３ａよりも負圧タンク１２側において、排水管路１３の一部が排水で満たされた満管状態になる。
【００４８】
立ち上がり部１３ａよりも下流側において、排水管路１３の一部が排水で満たされている場合には、排水を吸引する際に、負圧タンク１２からの負圧が便器１１に溜まった排水に作用しにくくなる。つまり、便器１１に排水の吸引が行なわれる際に、排水管路１３の一部が排水で満たされていると、排水管路１３の一部を満たす排水に、まず負圧が作用してこれを吸引する。その後、便器１１に溜まった排水に負圧が作用する。このとき、負圧タンク１２の負圧が弱まっている。このため、便器１１に溜まった排水に十分な吸引力が作用せず、便器１１に排水が残留することが起こりうる。この場合、便器１１に再び給水し、真空ポンプ１４を作動させて負圧タンク１２に負圧を形成し、便器１１に残留した排水を吸引する一連の工程をやり直す必要が生じる。本発明者は、立ち上がり部１３ａから下流側においてある程度の高さまで立ち上がった上り管部１３ｂ，１３ｃがあるような場合において、負圧吸引式トイレ１０におけるこのような問題が生じることを見出した。
【００４９】
本発明者は、負圧吸引式トイレ１０において、立ち上がり部１３ａよりも下流側では、上り管部１３ｂ，１３ｃの直ぐ上流側に、上り管部１３ｂ，１３ｃよりも大きい容積を有する受け部１３ｂ１，１３ｃ１を設けることを提案する。つまり、ここで提案される負圧吸引式トイレ１０では、図２に示すように、上り管部１３ｂ，１３ｃの直ぐ上流側において、排水管路１３に受け部１３ｂ１，１３ｃ１が設けられている。受け部１３ｂ１，１３ｃ１は、上り管部１３ｂ，１３ｃよりも大きい容積を有している。かかる構成によれば、吸引が終了したときに上り管部１３ｂ，１３ｃでは吸引時に排水が残留した場合には、吸引が終了した後で、上り管部１３ｂ，１３ｃに残留している排水が、自然に流下して上り管部１３ｂ，１３ｃの上流側に流れ込む。この場合、上り管部１３ｂ，１３ｃの直ぐ上流側に受け部１３ｂ１，１３ｃ１が設けられており、受け部１３ｂ１，１３ｃ１は、上り管部１３ｂ，１３ｃよりも大きい容積を有する。
【００５０】
このため、上り管部１３ｂ，１３ｃに残留している排水が、受け部１３ｂ１，１３ｃ１に流れ込んでも、受け部１３ｂ１，１３ｃ１は排水によって満たされない。この場合、受け部１３ｂ１，１３ｃ１の上部まで、排水が溜まらないので、受け部１３ｂ１，１３ｃ１の上部に空隙が生じる。負圧タンク１２からの負圧は、受け部１３ｂ１，１３ｃ１に生じた空隙を抜けて、便器１１から立ち上がり部１３ａに溜まった排水に作用しうる。このため、便器１１の排水がよりスムーズに吸引される。そして、吸引後に便器１１に排水が残留しにくい。特に、吸引初期に排水が通過する立ち上がり部１３ａにおいて所要の流速が確保される。このため、上り管部１３ｂ，１３ｃがある場合でも、立ち上がり部１３ａにおいて便やトイレットペーパーなどの固形分が適切に破砕される機能が維持されるから、便やトイレットペーパーなどが詰まりにくい。ここで、負圧タンク１２に至る上り管部１３ｃには、上述のように折曲区間１３ｄが設けられる場合がある。この場合、受け部１３ｃ１は、折曲区間１３ｄを含む上り管部１３ｃよりも大きい容積を有しているとよい。
【００５１】
例えば、排水管路１３は、図３または図７に示すように、吸引口１２ａから管軸に沿って３ｍまでの範囲内に、吸引口１２ａに向けて上方に延びた上り管部１３ｃを備えていてもよい。そして、かかる上り管部１３ｃに折曲区間１３ｄが含まれていてもよい。換言すると、負圧タンク１２に接続される部分において負圧タンク１２に向けて上方に延びた上り管部１３ｃに折曲区間１３ｄが含まれていてもよい。この場合、上り管部１３ｃのすぐ上流側に折曲区間１３ｄを含む当該上り管部１３ｃよりも大きい容積を有する受け部１３ｃ１を備えているとよい。これにより、上り管部１３ｃに残留している排水が、受け部１３ｃ１に流れ込んでも、受け部１３ｃ１は排水によって満たされない。そして、受け部１３ｃ１の上部に空隙が生じ、負圧タンク１２からの負圧は、受け部１３ｃ１に生じた空隙を抜けうる。このため、便器１１の排水がよりスムーズに吸引される。
【００５２】
例えば、図８から図１１に示すように、排水管路１３は、吸引口１２ａに向けて上方に延びた上り管部１３ｃを備えている。この場合、上り管部１３ｃのすぐ上流側に設けられ、上り管部１３ｃよりも大きい容積を有した受け部１３ｃ１を備えているとよい。例えば、図８、図１０および図１１に示された形態では、排水管路１３は、上り管部１３ｃのすぐ上流側に水平な管路が形成されている。かかる水平な管路は、上述した受け部１３ｃ１として機能しうる。また、図９に示された形態では、上り管部１３ｃに相当する部位のすぐ上流側において、排水管路１３は、それぞれ水平な面に沿って曲がった折曲部１３ｄ１，１３ｄ２を、吸引口１２ａから管軸に沿って３ｍまでの範囲内に備えている。このような折曲部１３ｄ１，１３ｄ２を含む水平な管路は、上述した受け部１３ｃ１として機能しうる。このように排水管路１３は、吸引口１２ａに向けて上方に延びた上り管部１３ｃと、上り管部１３ｃのすぐ上流側に設けられ、上り管部１３ｃよりも大きい容積を有した受け部１３ｃ１とを、吸引口１２ａから管軸に沿って３ｍまでの範囲内に備えていてもよい。そして、上り管部１３ｃと受け部１３ｃ１との少なくとも一方に折曲区間１３ｄ（さらには、集中折曲区間１３ｄｓ）が設けられていてもよい。
【００５３】
受け部１３ｂ１，１３ｃ１には、種々の形態を採用することができる。例えば、上り管部１３ｂ，１３ｃと受け部１３ｂ１，１３ｃ１とにおける排水管路１３は、管軸に直交する断面積の変化が１００％以下であるとよい。つまり、便器１１から負圧タンク１２に至る主たる管路において、上り管部１３ｂ，１３ｃと受け部１３ｂ１，１３ｃ１とは、断面積の変化が１００％以下（２倍以下）、例えば、８０％以下（１．８倍以下）、さらには６０％（１．６倍以下）以下であるとよい。ここで、「受け部における排水管路」には、後述するように、受け部における排水管路に並行な管路や、中間タンクなどは含まれない。上り管部１３ｂ，１３ｃと受け部１３ｂ１，１３ｃ１とで断面積の変化が１００％以下である方が、負圧の作用による吸引がスムーズに行える。
【００５４】
また、受け部１３ｂ１，１３ｃ１における排水管路の断面積は、上り管部１３ｂ，１３ｃにおける排水管路の断面積よりも広いことが望ましい。例えば、上り管部１３ｂ，１３ｃにおける排水管路に内径２０ｍｍの円形断面の塩ビ管を採用し、受け部１３ｂ１，１３ｃ１における排水管路に内径２５ｍｍの円形断面の塩ビ管を採用してもよい。この場合、受け部１３ｂ１，１３ｃ１の断面積は、上り管部１３ｂ，１３ｃよりも５６％程度大きくなる。この場合、受け部１３ｂ１，１３ｃ１は、上り管部１３ｂ，１３ｃよりも短くても広い容積が確保される。この場合、上り管部１３ｂと同じ内径の塩ビ管を、受け部１３ｂ１に採用する場合に比べて、便器１１から上り管部１３ｂを立ち上げるまでの距離を短くできる。
【００５５】
また、受け部１３ｂ１，１３ｃ１は、管軸が水平になるように配置されてもよい。受け部１３ｂ１，１３ｃ１の管軸が水平であれば、上り管部１３ｂ，１３ｃから排水が流れ込んでも、受け部１３ｂ１，１３ｃ１が排水によって満たされにくい。また、受け部１３ｂ１，１３ｃ１における排水管路は、管軸に直交する断面が円形の円形管であってもよい。円形管は管の断面が均一なので管の断面の上下を気にせずに設置できる。このため、施工性がよい。
【００５６】
また、受け部１３ｂ１，１３ｃ１は、管軸に直交する断面において、管路内面における高さ方向の中心よりも下方の面積が、上方よりも広い、異形管路でもよい。このような異形管路は、管路内面における高さ方向の中心よりも下方の面積が上方よりも広い。このため、上り管部１３ｂ，１３ｃから受け部１３ｂ１，１３ｃ１に排水が流れ込んでも、受け部１３ｂ１，１３ｃ１の上部に隙間が生じやすい。
【００５７】
また、管軸に直交する断面形状が、受け部１３ｂ１，１３ｃ１と上り管部１３ｂ，１３ｃとで同じである場合には、受け部１３ｂ１，１３ｃ１が上り管部１３ｂ，１３ｃよりも長いとよい。つまり、受け部１３ｂ１の長さをＡ、上り管部１３ｂの長さをａとした場合には、Ａ＞ａであるとよい。受け部１３ｃ１の長さをＢ、上り管部１３ｃの長さをｂとした場合には、Ｂ＞ｂであるとよい。これによって、上り管部１３ｂ，１３ｃよりも大きい容積を有する受け部１３ｂ１，１３ｃ１との構成を具現化してもよい。
【００５８】
図１２は、バイパス管路１８を備えた受け部１３ｂ１を模式的に示す平面図である。排水管路１３に沿った矢印Ａ１は、排水管路１３の負圧タンク１２側であり、当該受け部１３ｂ１に対して上り管部１３ｂが設けられる方向である。矢印Ｂ１は、便器１１側であり、排水が流れる方向において上流側に当たる。矢印Ａ１，Ｂ１は、図１３において同意である。
【００５９】
図１２に示す形態では、受け部１３ｂ１は、受け部１３ｂ１における排水管路１３の側方において並行に配置され、かつ、受け部１３ｂ１における排水管路１３に水平方向に繋がったバイパス管路１８を有している。この場合、便器１１に溜まった排水は、受け部１３ｂ１においては主として排水管路１３に沿って吸引される。このため、便器１１に溜まった排水は、スムーズに吸引される。また、吸引終了後に、上り管部１３ｂに残留した排水は、受け部１３ｂ１における排水管路１３とバイパス管路１８とに流れ込む。上り管部１３ｂに残留した排水がバイパス管路１８にも流れ込むので、受け部１３ｂ１における排水管路１３をより短く構成できる。また、排水管路１３と並行に配置されたバイパス管路１８は、排水管路１３と水平方向に繋がっている。このため、バイパス管路１８に入り込んだ排水はバイパス管路１８に留まらず、適当なタイミングで、受け部１３ｂ１における排水管路１３に戻る。そして、次に吸引される際などにおいて、負圧タンク１２へ吸引される。
【００６０】
図１３は、中間タンク１９を備えた受け部１３ｂ１を模式的に示す平面図である。受け部１３ｂ１は、図１３に示すように、当該受け部１３ｂ１における排水管路１３の側方に配置され、当該受け部１３ｂ１における排水管路１３に対して水平方向に繋がった中間タンク１９を有していてもよい。この場合、便器１１に溜まった排水は、受け部１３ｂ１においては主として排水管路１３に沿って吸引される。このため、便器１１に溜まった排水は、スムーズに吸引される。吸引終了後に、上り管部１３ｂに残留した排水は、流下して、受け部１３ｂ１における排水管路１３と中間タンク１９とに流れ込む。上り管部１３ｂに残留した排水が中間タンク１９にも流れ込むので、受け部１３ｂ１における排水管路１３を短く構成できる。また、中間タンク１９に入り込んだ排水は、中間タンク１９に留まらず、適当なタイミングで、受け部１３ｂ１における排水管路１３に戻る。そして、次に吸引される際などにおいて、負圧タンク１２へ吸引される。
【００６１】
なお、バイパス管路１８や中間タンク１９には、受け部１３ｂ１の一部として、吸引終了後に、上り管部１３ｂに残留した排水が流れ込むとよい。このようなバイパス管路１８や中間タンク１９が、受け部１３ｂ１に設けられていることによって、受け部１３ｂ１における排水管路１３が短くできる。この観点において、バイパス管路１８や中間タンク１９は、必ずしも受け部１３ｂ１における排水管路１３の側方に配置されていなくてもよい。しかし、バイパス管路１８や中間タンク１９に入り込んだ排水が、適当なタイミングで排水管路１３に戻るとの観点において、バイパス管路１８や中間タンク１９は、受け部１３ｂ１における排水管路１３の側方に配置され、かつ、排水管路１３に対して水平に繋がっている方がよい。なお、上記作用効果が阻害されない限りにおいて、バイパス管路１８や中間タンク１９は、上記形態に限定されない。
【００６２】
排水管路１３は、図１および図２に示すように、上り管部１３ｂ，１３ｃを複数備えている場合には、各上り管部１３ｂ，１３ｃに対してそれぞれ受け部１３ｂ１，１３ｃ１が設けられているとよい。各受け部１３ｂ１，１３ｃ１は、それぞれの下流側に設けられた上り管部１３ｂ，１３ｃの容積に応じて、上り管部１３ｂ，１３ｃよりも大きい容積を有しているとよい。
【００６３】
また、例えば、図１２または図１３に示すように、受け部１３ｂ１，１３ｃ１における排水管路１３に、並行なバイパス管路１８や中間タンク１９を設ける場合がある。このような場合には、排水管路１３とバイパス管路１８とを繋ぐ管路や、排水管路１３と中間タンク１９とを繋ぐ管路に弁（図示省略）を設けてもよい。例えば、便器１１に溜まった排水が負圧タンク１２に吸引される際に、当該弁が閉じられることによって、バイパス管路１８や中間タンク１９の影響を受けずに、排水が排水管路１３に沿ってスムーズに流れる。そして、吸引終了後に弁を開けると、上り管部１３ｂ，１３ｃから受け部１３ｂ１，１３ｃ１に流下した排水が、排水管路１３に並行なバイパス管路１８や中間タンク１９に流れ込む。このように、バイパス管路１８や中間タンク１９に設けられる弁は、負圧タンク１２に排水が吸引される一連工程において、適当なタイミングで開いたり、閉じたりするとよい。このため、バイパス管路１８や中間タンク１９に設けられる弁は、制御装置３０によって制御されるとよい。
【００６４】
以上、本発明の一実施形態に係る負圧吸引式トイレを説明したが、本発明は特に言及されない限りにおいて上述した実施形態および変形例に限定されず、さらに種々の変形例が含まれる。
【産業上の利用可能性】
【００６５】
本発明は、負圧吸引式トイレとして産業上利用可能である。
【符号の説明】
【００６６】
１０  負圧吸引式トイレ
１１  便器
１１ａ  排水口
１１ｂ  便器本体
１１ｃ  外枠
１２  負圧タンク
１２ａ  吸引口
１２ｂ  弁
１２ｃ  大気開放弁
１２ｄ  排水口
１２ｅ  弁
１３  排水管路
１３ａ  立ち上がり部
１３ｂ，１３ｃ  上り管部
１３ｂ１，１３ｃ１  受け部
１３ｄ  折曲区間
１３ｄｓ  集中折曲区間
１３ｄ１〜１３ｄ５  折曲部
１３ｅ  直線区間
１４  真空ポンプ
１４ａ  弁
１６  カバー
１６ａ  枠組み
１６ａ１  上部構造材
１６ｂ  台座
１８  バイパス管路
１９  中間タンク
２０  ベッド
２１  給水タンク
２２  給水ポンプ
３０  制御装置
３１  操作部
４０  下水設備
６０  貫通孔
１２０  タンク本体
１２１  円筒部
１２２  円錐部
１２３  蓋
ＦＬ  床面
ＷＬ  壁面
【図１】
2018003336.tif 000003
【図２】
2018003336.tif 000004
【図３】
2018003336.tif 000005
【図４】
2018003336.tif 000006
【図５】
2018003336.tif 000007
【図６】
2018003336.tif 000008
【図７】
2018003336.tif 000009
【図８】
2018003336.tif 000010
【図９】
2018003336.tif 000011
【図１０】
2018003336.tif 000012
【図１１】
2018003336.tif 000013
【図１２】
2018003336.tif 000014
【図１３】
2018003336.tif 000015